(57)【要約】【課題】  被取り付け部である基板等に設けた挿通孔に「ぐらつき」や「揺れ動き」を生じさせることなく、モータを強固に取り付けることができるモータ支持構造を提供すること。【解決手段】  モータ１のケーシング１１側面に、弾性変形可能なアーム１１ｆを側面視略門型状となるように対向して突設し、それぞれのアーム１１ｆの先部にケーシング１１外側に向かって延出するように略鍵形状の係合凸部１１ｈを設けてケーシング１１を構成する。一方、電子基板２に、アーム１１ｆ先部が挿通される挿通孔２ｃおよび係合凸部１１ｈと係合される係合凹部２ｇとを設ける。そして、挿通孔２ｃにアーム１１ｆの先部を挿通させ押し込むことで、係合凹部２ｇに係合凸部１１ｈが係合すると共に、ケーシング本体部１１ｃが電子基板２に当接して、モータ１が電子基板２に取着する。【選択図】        図１
2005249754.tif 000002
【特許請求の範囲】
【請求項１】
ケーシング本体部から弾性変形可能なアームが突設されて側面視略門型状となるように形成され、夫々のアームの先部が外側に延出されると共に折り返されて略鍵形状の係合凸部が設けられてなるケーシングと、そのケーシング内に回動機構を具備したモータと、
前記先部が挿通される挿通孔と、前記係合凸部と係合される係合凹部とが設けられた被取付部材とを備えてなり、
前記挿通孔に前記先部を挿通させ押し込むことで、前記係合凹部に前記係合凸部が係合されると共に、前記ケーシング本体部が前記被取付部材に当接されて、前記モータが、前記被取付部材に取着されることを特徴とするモータ支持構造。
【請求項２】
前記被取付部材は、基材とその基材面に設けられた銅箔とを有して構成された電子基板であると共に、前記係合凹部は、前記銅箔の肉盛りの有無または肉盛りの度合いによって形成されていることを特徴とする請求項１記載のモータ支持構造。
【発明の詳細な説明】
【技術分野】
【０００１】
本発明は、自動車用車速計、各種積算計等に用いられているモータに関し、更に詳しくは、モータを基板等へ取り付けるための構造の改良に関する。
【背景技術】
【０００２】
従来のモータの支持構造は、例えば、モータのケーシング側面に、弾性変形可能なアームを側面視略門型状となるように対向して突設し、それぞれのアームの先部にケーシング外側に向かって延出する平面状の顎面を設けてモータのケーシングを構成し、一方、その先部が挿通される挿通孔を基板に設け、上記した平面状の顎面が基板面に当接するように、先部を挿通孔に挿通・嵌合させている（特許文献１参照）。
【０００３】
【特許文献１】特願２００１−１３７８２７号公報（第２頁、図１）
【発明の開示】
【発明が解決しようとする課題】
【０００４】
この上記した従来のモータの支持構造は、下記の問題点を有する。
まず、この種のモータのケーシングは、合成樹脂部材で構成されているため、略Ｕ字状に形成されたアームの傾き（開き具合）等に多少のばらつきが生じやすい。一方、基板に設ける挿通孔も先部を挿通させるために、先部より大きい所要の大きさで設ける必要がある。
【０００５】
そうすると、先部を挿通孔に挿通・嵌合させた際に、図４に示したように、先部ａと挿通孔の側壁面ｂとの間に間隙ｃが生じる場合があり、そのままでは、基板ｄに対してモータｅが、ぐらついたように取着されてしまう。
【０００６】
このように僅かでも「遊び」がある状態でモータが取着されてしまうと、このモータが自動車の車速計などに用いられた場合、自動車の震動等によって、その先部が挿通孔の側壁面に当接・離間を繰り返して疲労破壊に至ったり、あるいは破壊に至らずとも基板から脱落してしまう虞がある。
また、仮に「遊び」がない場合でも、アームの先部は、ケーシング外側に向かって延出する平面状の顎面であるころから、震動等によってモータが揺れ動きやすく、折り曲がり部に応力が集中して疲労破壊に至りやすい。
【０００７】
そこで、本発明は、被取り付け部である基板等に設けた挿通孔に「ぐらつき」や「揺れ動き」を生じさせることなく、強固にモータを取り付けることができるモータ支持構造を提供することを目的とする。
【課題を解決するための手段】
【０００８】
上記課題を解決するために本発明にかかるモータの支持構造は、下記の技術的手段を講じた。
すなわち、請求項１のモータ支持構造は、ケーシング本体部から弾性変形可能なアームが突設されて側面視略門型状となるように形成され、夫々のアームの先部が外側に延出されると共に折り返されて略鍵形状の係合凸部が設けられてなるケーシングと、そのケーシング内に回動機構を具備したモータと、前記先部が挿通される挿通孔と、前記係合凸部と係合される係合凹部とが設けられた被取付部材とを備えてなり、前記挿通孔に前記先部を挿通させ押し込むことで、前記係合凹部に前記係合凸部が係合されると共に、前記ケーシング本体部が前記被取付部材に当接されて、前記モータが、前記被取付部材に取着されることを特徴とする特徴とする。
請求項２にかかるモータ支持構造は、請求項１において、前記被取付部材は、基材とその基材面に設けられた銅箔とを有して構成された電子基板であると共に、前記係合凹部は、前記銅箔の肉盛りの有無または肉盛りの度合いによって形成されていることを特徴とする。
【発明の効果】
【０００９】
請求項１によれば、アームの先部を鍵形状の係合凸部に形成して略コ字状にしたから、従来の言わば略Ｌ字状のアームの先部よりその開き方向の強度が向上（応力集中する箇所を１箇所から２箇所になって力が分散）して、結果的にモータは、「ぐらつき」や「揺れ動き」を生じさせることなく、強固にモータを取り付けることができる。
【００１０】
請求項２によれば、係合凹部を、銅箔の肉盛りの有無または肉盛りの度合いによって形成して、別途、基板等の被取り付け部材に孔明けする必要がないことから、生産コストを下げることができる。
【発明を実施するための最良の形態】
【００１１】
次に、本発明の実施の形態を、図面を参照しながら説明をする。
図中、符号１は、モータを、符号２は被取付部材である電子基板を、夫々示す。
【００１２】
本実施の形態にかかるモータ支持構造は、図１および図２に示すように、モータ１と、電子基板２とを備えてなる。
モータ１は、ケーシング１１と、回動機構（図示せず）とを備えてなる。
【００１３】
ケーシング１１は、合成樹脂部材からなり、後述する回動機構の出力軸１２ａを案内支持させるボス１１ｄとガイドピン１１ｅが突設された上ケース１１ａと、その上ケース１１ａに嵌合された下ケース１１ｂとでボックス状に形成されたケーシング本体部１１ｃと、そのケーシング本体部１１ｃを挟んで対向するように、下ケース１１ｂの下縁部から突設された一対の略Ｌ字状のアーム１１ｆとで構成され、側面視略門型状に形成されている。
【００１４】
この上記した一対のアーム１１ｆは、合成樹脂部材の弾性によって、開閉方向に弾性変形可能になっており、その夫々のアーム１１ｆの先部が外側に延出されると共に、折り返されて鍵形状の係合凸部１１ｈが設けられている。また、夫々のアーム１１ｆの頂部は、外側に向かって漸次低くなる傾斜面１１ｇが形成されている。
【００１５】
回動機構（図示せず）は、入力された電気パルス信号に基づいて上ケース１１ａのボス１１ｄから突設させた出力軸１２ａを回動させるように構成されており、上記したケーシング１１に内装されている。なお、その機構部の構成・作動原理は、周知であるため詳細な説明は省略する。
【００１６】
電子基板２は、銅箔２ａが薄膜形成された基材２ｂをエッチング処理等を経て所望したプリント配線を施したもので、上記のモータ１を取着させる所望した位置に、アーム１１ｆの先部外形より若干大きい寸法の挿通孔２ｃが、一対のアーム１１ｆの先部間ピッチより若干幅狭なピッチでもって設けられていると共に、ガイドピン１１ｅとボス１１ｄとを挿嵌させる挿嵌孔２ｄ、２ｅが設けられている。
【００１７】
さらに、この電子基板２は、アーム１１ｆの先部と係合するように、挿通孔２ｃから所要距離離間した部位の銅箔２ａが、エッチング処理などによって取り除かれて、銅箔２ａの厚さに基づいた所要深さの係合凹部２ｇが形成されている。なお、この係合凹部２ｇ側の面を裏面とし、反対面を表面と呼称する。
【００１８】
以上のように構成された本実施の形態にかかるモータ支持構造は、図２に示すように、電子基板２の表面側から、ボス１１ｄおよびガイドピン１１ｅ、アーム１１ｆの先部の夫々と、挿嵌孔２ｄ、２ｅ、挿通孔２ｃの夫々と係合するようにモータ１を位置決めしてから、電子基板２にモータ１を押し込む。
【００１９】
このとき、アーム１１ｆの先部は、頂部に形成された傾斜面１１ｇが挿通孔２ｃ縁部に当接し、案内されて、図１において二点鎖線で示したように、内側に向かって弾性変形をしながら押し込まれる。
そして、同図において、実線で示したように、挿通孔２ｃを抜け出たアーム１１ｆの先部は、外側に向かって弾性変形（付勢）し、係合凹部２ｇに係合凸部１１ｈが係合すると同時に、ケーシング本体部１１ｃが電子基板２に当接して、モータ１が電子基板２に強固に取着する（図３参照）。
【００２０】
このように、本実施の形態にかかるモータ支持構造は、アーム１１ｆの先部を鍵形状の係合凸部１１ｈに形成して略コ字状にしたから、従来の言わば略Ｌ字状のアーム１１ｆの先部よりその開き方向の強度が向上（応力集中する箇所を１箇所から２箇所になって力が分散）して、結果的にモータ１は、「ぐらつき」や「揺れ動き」を生じさせることなく、強固にモータ１を取り付けることができる。
【００２１】
以上、本実施の形態にかかるモータ支持構造を説明したが、上述した実施の形態は、本発明の好適な実施の形態の一例を示すものであり、本発明はそれに限定されるものではなく、その要旨を逸脱しない範囲内において、種々変形実施が可能である。
【００２２】
例えば、係合凹部２ｇは、基板等の被取付部材の表面をプレス加工で凹状に形成したり、挿通孔にしても良い。また。アームは２本に限定されず、多数本でも良いものである。
【図面の簡単な説明】
【００２３】
【図１】本実施の形態にかかるモータ支持構造を示す縦断面図である。
【図２】同、組み付け状態時の分解斜視図である。
【図３】同、組み付け状態時の斜視図である。
【図４】従来のモータ支持構造を示す縦断面図である。
【符号の説明】
【００２４】
１  モータ
１１  ケーシング
１１ａ  上ケース
１１ｂ  下ケース
１１ｃ  ケーシング本体部
１１ｄ  ボス
１１ｅ  ガイドピン
１１ｆ  アーム
１１ｇ  傾斜面
１１ｈ  係合凸部
１２ａ  出力軸
２  電子基板
２ａ  銅箔
２ｂ  基材
２ｃ  挿通孔
２ｄ、２ｅ  挿嵌孔
２ｇ  係合凹部
【図１】
2005249754.tif 000003
【図２】
2005249754.tif 000004
【図３】
2005249754.tif 000005
【図４】
2005249754.tif 000006